(57)【要約】【課題】部品点数の増加や構成部品の変形を招くことなく、スライドドアのストッパを確実に作動させることができるフューエルリッド装置を提供すること。【解決手段】ストッパ３がスライドドア４の係止位置に保持されている状態において、フューエルリッド１を矢印Ａ２方向に閉じてプッシュロッド１２を矢印Ｂ２方向に変位させたときに、ストッパ３に連結されるリンク１４の一端部１４Ａからプッシュロッド１２の当接部１２Ｂが上方に離間し、リンク１４の矢印Ｃ２方向の回動が許容され強制はされない。【選択図】        図５
2004346542.tif 000002
【特許請求の範囲】
【請求項１】
フューエルリッドの開動によって第１の方向に変位し、かつ前記フューエルリッドの閉動によって第２の方向に変位するプッシュロッドと、前記プッシュロッドを前記第１の方向に付勢するプッシュロッド付勢手段と、スライドドアを半開位置に係止可能なストッパに連結されて、一方向に回動することにより前記ストッパを前記スライドドアの係止が可能な係止位置に移動させ、かつ他方向に回動することにより前記ストッパを前記スライドドアの係止が不可能な非係止位置に移動させるリンクと、
前記リンクを前記他方向に付勢するためのリンク付勢手段と、
前記プッシュロッドに設けられて、前記フューエルリッドの開動によって前記プッシュロッドが前記第１の方向に変位されるときに、前記リンクに当接して該リンクを前記一方向に回動させ、かつ前記フューエルリッドの閉動によって前記プッシュロッドが前記第２の方向に変位されるときに、前記リンクから離間して該リンクの前記他方向の回動を許容する当接部と、を備えることを特徴とするフューエルリッド装置。
【請求項２】
前記プッシュロッドに、前記リンクの一部が相対移動可能に内在するスリットを設けたことを特徴とする請求項１に記載のフューエルリッド装置。
【請求項３】
前記スリットの内部に、前記リンク付勢手段を備えることを特徴とする請求項２に記載のフューエルリッド装置。
【請求項４】
前記プッシュロッド付勢手段およびリンク付勢手段の少なくとも一方は、トーションスプリングであることを特徴とする請求項１から３のいずれかに記載のフューエルリッド装置。
【請求項５】
装置本体のベース部材として、車体に取り付け可能なブラッケットを備え、
前記ブラケットの一側面側に前記リンクを回動可能に配置し、
前記ブラケットの他側面側に前記リンクと一体的に回動するスイッチレバーを配置し、
前記ブラケットの他側面側に、前記スイッチレバーを介して前記リンクを付勢するように前記リンク付勢手段を配置することを特徴とする請求項１から４のいずれかに記載のフューエルリッド装置。
【発明の詳細な説明】
【０００１】
【発明の属する技術分野】
本発明は、スライドドアを備えた車両用のフューエルリッド装置に関するものである。
【０００２】
【従来の技術】
この種のフューエルリッド装置において、スライドドアのスライド範囲内にフューエルリッドが位置するものは、一般に、フューエルリッドの開閉に応じてスライドドアのストッパを作動させる構成となっている。そのストッパは、スライドドアを半開位置に係止可能な係止位置と、スライドドアを半開位置に係止不可能な非係止位置との間に選択的に移動する構成となっている。フューエルリッド装置は、フューエルリッドが開かれた給油中のときにストッパを係止位置に移動させて、スライドドアとフューエルリッドとの干渉を防止する。またフューエルリッド装置は、フューエルリッドが閉じられたときにストッパを非係止位置に移動させる。通常、このようなフューエルリッド装置は、フューエルリッドの開閉に応じて変位するプッシュロッドと、そのプッシュロッドに追従して回動するリンクと、そのリンクと車体に設けられたスライドドアのストッパとを連結するケーブルを備えた構成となっている。
【０００３】
このようなフューエルリッド装置においては、フューエルリッドが開かれて、スライドドアがストッパによって半開位置に係止された後、そのスライドドアが半開位置に係止されたまま、フューエルリッドが閉じられることがある。このような場合には、フューエルリッドが閉じられることによって、ストッパを非係止位置に移動させるための力がリンクに生じるものの、半開のままのスライドドアによって、ストッパの非係止位置への移動が阻止されてしまう。そのため、プッシュロッド、リンク、およびケーブルに無理な力が掛かって、それらの変形を招くおそれがある。
【０００４】
このような事態を回避するために、例えば、特許文献１に記載のフューエルリッド装置は、リンクを第１リンクと第２リンクの２枚構成としている。第１リンクはプッシュロッドに連結され、また第２リンクはケーブルを介してストッパに連結されており、さらに、それらの第１および第２リンクはスプリングを介して相対回転自在に連結されている。フューエルリッドが閉じられて、ストッパを非係止位置に移動させるための力が第１リンクに生じた場合において、半開のスライドドアによってストッパの非係止位置への移動が阻止（第２リンクの回動が阻止）されているときは、第１および第２リンクが相対回転して無理な力を逃がす。
【０００５】
【特許文献１】
特開２００１−２４１２３９号公報
【０００６】
【発明が解決しようとする課題】
しかし、上記従来のフューエルリッド装置は、第１および第２リンクの相対回転によって無理な力を逃がすことはできるものの、リンクを２枚構成とするために部品点数が増加してしまう。また、第１および第２リンクの間に介在するスプリングは、通常は、それらのリンクを連結させるために比較的強いスプリング力が必要である。そのため、第１および第２リンクの相対回転によって無理な力を逃がす際には、その比較的強いスプリングを弾性変形させるべく、フューエルリッドを強く閉じることが必要となる。このようなフューエルリッドに要求される強い閉じ力は、そのフューエルリッドの変形を招くおそれがある。
【０００７】
本発明の目的は、部品点数の増加や構成部品の変形を招くことなく、スライドドアのストッパを確実に作動させることができるフューエルリッド装置を提供することにある。
【０００８】
【課題を解決するための手段】
請求項１に記載の本発明のフューエルリッド装置は、フューエルリッドの開動によって第１の方向に変位し、かつ前記フューエルリッドの閉動によって第２の方向に変位するプッシュロッドと、前記プッシュロッドを前記第１の方向に付勢するプッシュロッド付勢手段と、スライドドアを半開位置に係止可能なストッパに連結されて、一方向に回動することにより前記ストッパを前記スライドドアの係止が可能な係止位置に移動させ、かつ他方向に回動することにより前記ストッパを前記スライドドアの係止が不可能な非係止位置に移動させるリンクと、前記リンクを前記他方向に付勢するためのリンク付勢手段と、前記プッシュロッドに設けられて、前記フューエルリッドの開動によって前記プッシュロッドが前記第１の方向に変位されるときに、前記リンクに当接して該リンクを前記一方向に回動させ、かつ前記フューエルリッドの閉動によって前記プッシュロッドが前記第２の方向に変位されるときに、前記リンクから離間して該リンクの前記他方向の回動を許容する当接部と、を備えることを特徴とする。
【０００９】
請求項２に記載の本発明のフューエルリッド装置は、請求項１において、前記プッシュロッドに、前記リンクの一部が相対移動可能に内在するスリットを設けたことを特徴とする。
【００１０】
請求項３に記載の本発明のフューエルリッド装置は、請求項２において、前記スリットの内部に、前記リンク付勢手段を備えることを特徴とする。
【００１１】
請求項４に記載の本発明のフューエルリッド装置は、請求項１から３において、前記プッシュロッド付勢手段およびリンク付勢手段の少なくとも一方は、トーションスプリングであることを特徴とする。
【００１２】
請求項５に記載の本発明のフューエルリッド装置は、請求項１から４のいずれかにおいて、装置本体のベース部材として、車体に取り付け可能なブラッケットを備え、前記ブラケットの一側面側に前記リンクを回動可能に配置し、前記ブラケットの他側面側に前記リンクと一体的に回動するスイッチレバーを配置し、前記ブラケットの他側面側に、前記スイッチレバーを介して前記リンクを付勢するように前記リンク付勢手段を配置することを特徴とする。
【００１３】
【発明の実施の形態】
以下、本発明の実施形態を図面に基づいて説明する。
（第１の実施形態）
図１から図５は、本発明の第１の実施形態を説明するための図である。本例のフューエルリッド装置は、車両の左側スライドドアの後方位置に備えられる。
【００１４】
図１は、車両の下側から見た本例のフューエルリッド装置１０の側面図、図２は図１のＩＩ矢視図である。これらの図において、同図中Ｆは車両の前方側、Ｒは車両の後方側である。１１は、装置本体のベース部材としてのブラケットであり、車体の左側の定位置に取り付けられる。ブラケット１１には、プッシュロッド１２が上下方向の軸線Ｏ１に沿って変位自在に取り付けられている。また、ブラケット１１には、ピン１３が軸線Ｏ２を中心として回動自在に取り付けられており、その一端にリンク１４が固定され、その他端にスイッチレバー１５が固定されている。プッシュロッド１２とリンク１４は、ブラケット１１における車両の下側（一側面側）に位置し、スイッチレバー１５は、ブラケット１１における車両の上側（他側面側）に位置する。
【００１５】
ピン１３の回りには、第１スプリング１６（プッシュロッド付勢手段）および第２スプリング１７（リンク付勢手段）としてのトーションスプリングが取り付けられている。第１スプリング１６は、その一端１６Ａがプッシュロッド１２の上端部のスプリング係止孔１２Ａに係止され、その他端１６Ｂがブラケット１１のスプリング係止部１１Ａに係止されることによって、プッシュロッド１２を矢印Ｂ１方向（第１の方向）に付勢する。第２スプリング１７は、その一端１７Ａがスイッチレバー１５のスプリング係止部１５Ａに係止され、その他端１７Ｂがブラケット１１のスプリング係止孔１１Ｂに係止されることによって、スイッチレバー１５、ピン１３、およびリンク１４を矢印Ｃ２方向に付勢する。この第２スプリング１７の付勢力により、リンク１４の一端部１４Ａは、プッシュロッド１２の当接部１２Ｂに押し付けられる。
【００１６】
プッシュロッド１２の下端は、軸線Ｏを中心として矢印Ａ１，Ａ２方向に開閉されるフューエルリッド１と対向する。プッシュロッド１２は、第１スプリング１６の付勢力によって矢印Ｂ１方向（第１の方向）に付勢されており、図示しないフューエルリッド１のロック装置が解除されたときに、フューエルリッド１が矢印Ａ１方向に開動される。また、プッシュロッド１２は、フューエルリッド１が矢印Ａ２方向に閉動されることにより、第１スプリング１６に抗して矢印Ｂ２方向（第２の方向）に変位される。リンク１４の他端部１４Ｂは、ケーブル（連結部材）２を介してストッパ３に連結される。ストッパ３は、スライドドア４のガイドレールなどに備えられており、リンク１４が矢印Ｃ１方向（一方向）に回動したときに、図１中の２点鎖線のように矢印Ｄ１方向に回動されて、スライドドア４を半開位置に係止可能なスライドドア４の移動軌跡上の位置（係止位置）に移動する。一方、リンク１４が矢印Ｃ２方向（他方向）に回動したときは、ストッパ３が図１中の実線のように矢印Ｄ２方向に回動されて、スライドドア４の移動規制上から退避する位置（非係止位置）に移動する。スイッチレバー１５は、矢印Ｃ１方向に回動したときに、フューエルリッド１の開成を検出するための不図示の検出スイッチをＯＮとする。
【００１７】
次に、図３から図５に基づいて動作について説明する。これらの図３から図５は、図１とは逆に、車両の上側から見た本例のフューエルリッド装置１０の側面図である。
【００１８】
フューエルリッド１が閉じられるときは、図３のように、プッシュロッド１２が第１スプリング１６に抗して矢印Ｂ２方向に変位する。リンク１４は、第２スプリング１７の付勢力によって、その一端部１４Ａをプッシュロッド１２の当接部１２Ｂの下面に押し付けたまま、その当接部１２Ｂの上方への移動に追従するように矢印Ｃ２方向に回動する。その結果、ストッパ３が非係止位置に移動し、スライドドア４の移動は規制されない。
【００１９】
フューエルリッド１が開かれるときは、図４のように、プッシュロッド１２が第１スプリング１６の付勢力によって矢印Ｂ１方向に変位する。そのプッシュロッド１２の当接部１２Ｂによってリンク１４の一端部１４Ａが下方に押され、そのリンク１４が第２スプリング１７に抗して矢印Ｃ１方向に回動する。これにより、ストッパ３は係止位置に移動し、図４のようにスライドドア４を半開位置に係止可能となる。このとき、スイッチレバー１５は、不図示の検出スイッチをＯＮとする。また、第２スプリング１７に抗して、第１スプリング１６の付勢力によってプッシュロッド１２を矢印Ｂ１方向に変位させるために、第２プリング１７の付勢力は第１スプリング１６よりも極めて小さく設定されている。
【００２０】
図５は、フューエルリッド１が開かれて、スライドドア４がストッパ３によって半開位置に係止された後、そのスライドドア４が半開位置に係止されたまま、フューエルリッド１が閉じられたときの動作の説明図である。このときは、フューエルリッド１が閉じられることにより、図３の場合と同様に、プッシュロッド１２が第１スプリング１６に抗して矢印Ｂ２方向に変位する。しかし、スライドドア４によってストッパ３の矢印Ｄ２方向の回動およびリンク１４の矢印Ｃ２方向の回動が阻止されているため、リンク１４は、第２スプリング１７の付勢力を受けても矢印Ｃ２方向には回動しない。そのため、プッシュロッド１２の当接部１２Ｂはリンク１４の一端部１４Ａから上方に離間するだけとなり、リンク１４は、この当接部１２Ｂの移動に追従するように矢印Ｃ２方向には回動しない。
【００２１】
その後、スライドドア４が移動されて、ストッパ３によるスライドドア４の半開位置の係止が解除されたときは、リンク１４の矢印Ｃ２方向の回動が可能となる。これにより、リンク１４は、第２スプリング１７の付勢力によって、その一端部１４Ａをプッシュロッド１２の当接部１２Ｂの下面に当接させるように矢印Ｃ２方向に回動する。その結果、図３と同様の状態となる。
【００２２】
このように、プッシュロッド１２の当接部１２Ｂは、リンク１４に対して矢印Ｃ１方向の回動は強制するものの、それとは逆の矢印Ｃ２方向の回動は強制せず、その矢印Ｃ２方向の回動を許容するだけである。したがって、図５の状態においてフューエルリッド１を閉じたときに、プッシュロッド１２、リンク１４、およびケーブル２などに無理な力が掛かることがない。しかも、そのときには、第１スプリング１６のみに抗してプッシュロッド１２を矢印Ｂ２方向に変位させればよく、フューエルリッド１の閉じ力を小さく抑えて、フューエルリッド１の変形を回避することができる。
【００２３】
また、第１スプリング１６は、プッシュロッド１２を直接的に矢印Ｂ１方向に付勢し、かつプッシュロッド１２のスプリング係止孔１２Ａに係止されることによってプッシュロッド１２の回転も止める。そのため、プッシュロッド１２をフューエルリッド１の開き方向に確実に付勢すると共に、プッシュロッド１２のガタ付きや振れの発生を抑えることができる。この結果、プッシュロッド１２とリンク１４との連係が確実なものとなって、装置の信頼性を向上させることができる。また、第２スプリング１７によって、プッシュロッド１２に追従させるようにリンク１４を付勢するため、リンク１４を確実に回動させて、装置の信頼性を向上させることができる。また、リンク１４を２枚構造とする必要がないため、その分、部品点数の増加を抑えて、構成の簡素化および小型化を図ることができる。
【００２４】
また、ブラケット１１の一側面側のリンク１４と、ブラケット１１の他側面側のスイッチレバー１５とを同軸上に重合させ、かつブラケット１１の他側面側の第２スプリング１７によってスイッチレバー１５を付勢することにより、リンク１５が位置するブラケット１１の一側面側に、プッシュロッド１２や第１スプリング１６を効率よく配備して、装置の小型化を図ることができる。
【００２５】
（第２の実施形態）
図６から図９は、本発明の第２の実施形態を説明するための図である。これらの図において、前述した実施形態と同様の部分には同一符号を付して、その説明を省略する。
【００２６】
本例は、リンク１４を付勢するための第２スプリングとして、リンク１４の一端部１４Ａとブラケット１１との間に張設されるコイルスプリング２７を備え、またプッシュロッドとして、図９のようなスリット付きのプッシュロッド２２を備えている。プッシュロッド２２の上端には、第１スプリング１６の一端１６Ａを係止するためのスプリング係止部２２Ａが形成され、またプッシュロッド２２の略上側半分の範囲には、リンク１４の一端部１４Ａが相対移動可能に内在するスリット２２Ｂが形成されている。第１スプリング１６の一端１６Ａの位置は、その第１スプリング１６自体の付勢力によって、プッシュロッド２２の上端のスプリング係止部２２Ａに保持される。これにより、その第１スプリング１６の一端１６Ａは、後述するように、前述した実施形態における当接部１２Ｂとして機能する。
【００２７】
フューエルリッド１が閉じられるときは、図６のように、プッシュロッド２２が第１スプリング１６に抗して矢印Ｂ２方向に変位する。リンク１４は、第２スプリング２７の付勢力によって、その一端部１４Ａを第１スプリング１６の一端１６Ａに押し付けたまま、その一端１６Ａの上方への移動に追従するように矢印Ｃ２方向に回動する。その結果、ストッパ３が非係止位置に移動し、スライドドア４の移動は規制されない。
【００２８】
フューエルリッド１が開かれるときは、図７のように、プッシュロッド２２が第１スプリング１６の付勢力によって矢印Ｂ１方向に変位する。その第１スプリング１６の一端１６Ａによってリンク１４の一端部１４Ａが下方に押され、そのリンク１４が第２スプリング２７に抗して矢印Ｃ１方向に回動する。これにより、ストッパ３は係止位置に移動し、スライドドア４を半開位置に係止可能となる。また、前述した実施形態と同様に、第２プリング２７の付勢力は第１スプリング１６よりも極めて小さく設定されている。
【００２９】
図８は、フューエルリッド１が開かれて、スライドドア４がストッパ３によって半開位置に係止された後、そのスライドドア４が半開位置に係止されたまま、フューエルリッド１が閉じられたときの動作の説明図である。このときは、フューエルリッド１が閉じられることにより、図６の場合と同様に、プッシュロッド２２が第１スプリング１６に抗して矢印Ｂ２方向に変位する。しかし、スライドドア４によってリンク１４の矢印Ｃ２方向の回動が阻止されているため、そのリンク１４は、第２スプリング２７の付勢力を受けても矢印Ｃ２方向には回動しない。そのため、プッシュロッド２２のスプリング係止部２２Ａに係止された第１スプリング１６の一端１６Ａは、リンク１４の一端部１４Ａから上方に離間するだけとなり、リンク１４は、この一端１６Ａの移動に追従するように矢印Ｃ２方向には回動しない。その際、リンク１４の一端部１４Ａとプッシュロッド２２との相対移動は、プッシュロッド２２のスリット２２Ｂ内において許容される。
【００３０】
その後、スライドドア４が移動されて、ストッパ３によるスライドドア４の半開位置の係止が解除されたときは、リンク１４の矢印Ｃ２方向の回動が可能となる。これにより、リンク１４は、第２スプリング２７の付勢力によって、その一端部１４Ａを第１スプリング１６の一端１６Ａに当接させるように矢印Ｃ２方向に回動する。その結果、図６と同様の状態となる。
【００３１】
本例においては、前述した実施形態と同様の効果に加え、プッシュロッド２２のスリット２２Ｂ内にリンク１４の一端部１４Ａが位置する分、それらのプッシュロッド２２とリンク１４をスペース的に効率よく配備して、装置のより一層の小型化を図ることができると共に、プッシュっロッド２２の振れを抑えることができる。
【００３２】
（第３の実施形態）
図１０から図１４は、本発明の第３の実施形態を説明するための図である。これらの図において、前述した実施形態と同様の部分には同一符号を付して、その説明を省略する。
【００３３】
本例は、プッシュロッドとして、図１３および図１４のようなスリット付きのプッシュロッド３２を備え、このプッシュロッド３２の内部に、リンク１４を付勢するための第２スプリングとしてのコイルスプリング３７を備えている。プッシュロッド３２の上端には、第１スプリング１６の一端１６Ａを係止するためのスプリング係止孔３２Ａが形成され、またプッシュロッド３２の略上側半分の範囲Ｌ１（図１３参照）には、上方から第２スプリング３７をはめ込むための断面円形の孔部３２Ｂが形成されている。さらに、プッシュロッド３２の範囲Ｌ２（図１３参照）には、リンク１４の一端部１４Ａが相対移動可能に内在するスリット３２Ｃが形成されている。スリット３２Ｃの上端面３２Ｃ−１（図１３参照）は、後述するように、前述した第１の実施形態における当接部１２Ｂとして機能する。また、孔部３２Ｂとスリット３２Ｃは一部において重なるため、第２スプリング３７はスリット３２Ｃに内在することになる。
【００３４】
フューエルリッド１が閉じられるときは、図１０のように、プッシュロッド３２が第１スプリング１６に抗して矢印Ｂ２方向に変位する。リンク１４は、第２スプリング３７の付勢力によって、その一端部１４Ａをスリット３２Ｃの上端面３２Ｃ−１に押し付けたまま、その上端面３２Ｃ−１の上方への移動に追従するように矢印Ｃ２方向に回動する。その結果、ストッパ３が非係止位置に移動し、スライドドア４の移動は規制されない。
【００３５】
フューエルリッド１が開かれるときは、図１１のように、プッシュロッド３２が第１スプリング１６の付勢力によって矢印Ｂ１方向に変位する。そのプッシュロッド３２におけるスリット３２Ｃの上端面３２Ｃ−１によってリンク１４の一端部１４Ａが下方に押され、そのリンク１４が矢印Ｃ１方向に回動する。これにより、ストッパ３は係止位置に移動し、スライドドア４を半開位置に係止可能となる。
【００３６】
図１２は、フューエルリッド１が開かれて、スライドドア４がストッパ３によって半開位置に係止された後、そのスライドドア４が半開位置に係止されたまま、フューエルリッド１が閉じられたときの動作の説明図である。このときは、フューエルリッド１が閉じられることにより、図１０の場合と同様に、プッシュロッド３２が第１スプリング１６に抗して矢印Ｂ２方向に変位する。しかし、スライドドア４によってリンク１４の矢印Ｃ２方向の回動が阻止されているため、そのリンク１４は、第２スプリング３７の付勢力を受けても矢印Ｃ２方向には回動しない。そのため、スリット３２Ｃの上端面３２Ｃ−１はリンク１４の一端部１４Ａから上方に離間するだけとなり、リンク１４は、この上端面３２Ｃ−１の移動に追従するように矢印Ｃ２方向には回動しない。その際、リンク１４の一端部１４Ａとプッシュロッド３２との相対移動は、プッシュロッド３２のスリット３２Ｃ内において許容される。また、それらの相対移動によって、図１２のように第２スプリング３７が圧縮される。第２スプリング３７の付勢力は、前述した実施形態と同様に、第１スプリング１６よりも極めて小さく設定されている。
【００３７】
その後、スライドドア４が移動されて、ストッパ３によるスライドドア４の半開位置の係止が解除されたときは、リンク１４の矢印Ｃ２方向の回動が可能となる。これにより、リンク１４は、第２スプリング３７の付勢力によって、その一端部１４Ａをスリット３２Ｃの上端面３２Ｃ−１に当接させるように矢印Ｃ２方向に回動する。その結果、図１０と同様の状態となる。
【００３８】
本例においては、前述した実施形態と同様の効果に加え、プッシュロッド３２のスリット３２Ｃ内にリンク１４の一端部１４Ａおよび第２スプリング３７が位置する分、それらのプッシュロッド３２、リンク１４、および第２スプリング３７をスペース的に効率よく配備して、装置のより一層の小型化を図ることができると共に、プッシュロッド３２の振れを抑えることができる。
【００３９】
【発明の効果】
以上説明したように、本発明は、半開きのスライドドアによってストッパがスライドドアの係止位置に保持されている状態において、フューエルリッドを閉じてプッシュロッドを変位させたときに、ストッパに連結されるリンクの回動は強制せずに許容するだけであるため、そのときに装置の構成部品に無理な力が掛かることがなく、その構成部品の変形を回避することができる。しかも、そのときには、第１スプリングのみに抗してプッシュロッドを変位させればよく、フューエルリッドの閉じ力を小さく抑えて、フューエルリッドの変形も回避することができる。また、リンクを２枚構造とする必要がないため、その分、部品点数の増加を抑えて、構成の簡素化および小型化を図ることができる。
【００４０】
また、プッシュロッドのスリット内にリンクの一部を相対移動可能に位置させることにより、それらのプッシュロッドとリンクをスペース的に効率よく配備して、装置のより一層の小型化を図ることができる。さらに、そのスリット内に、リンク付勢用の付勢手段を備えることにより、装置のより一層の小型化を図ることができる。
【００４１】
また、プッシュロッド付勢用の付勢手段と、リンク付勢用の付勢手段の少なくとも一方は、トーションスプリングを用いることができる。
【００４２】
また、一体的に回動するリンクとスイッチレバーのそれぞれをブラケットの一側面側と他側面側に分けて配置し、かつリンク付勢用の付勢手段がスイッチレバーを介してリンクを付勢するように、その付勢手段をスイッチレバーが位置するブラケットの他側面側に配置することにより、リンクが位置するブラケットの一側面側に、プッシュロッドなどの構成部品を効率よく配備して、装置の一層の小型化を図ることができる。
【図面の簡単な説明】
【図１】本発明の第１の実施形態のフューエルリッド装置を車両の下側から見た側面図である。
【図２】図１のＩＩ矢視図である。
【図３】フューエルリッドを閉じたときにおける図１のフューエルリッド装置を車両の上側から見た側面図である。
【図４】フューエルリッドを開いたときにおける図１のフューエルリッド装置を車両の上側から見た側面図である。
【図５】ストッパが係止位置に保持されている状態において、フューエルリッドを閉じたときの図１のフューエルリッド装置を車両の上側から見た側面図である。
【図６】フューエルリッドを閉じたときにおいて、本発明の第２の実施形態のフューエルリッド装置を車両の上側から見て、プッシュロッドの一部を断面した側面図である。
【図７】フューエルリッドを開いたときにおける図６のフューエルリッド装置を車両の上側から見た側面図である。
【図８】ストッパが係止位置に保持されている状態において、フューエルリッドを閉じたときの図６のフューエルリッド装置を車両の上側から見た側面図である。
【図９】図６のＩＸ−ＩＸ線に沿う断面図である。
【図１０】フューエルリッドを閉じたときにおいて、本発明の第３の実施形態のフューエルリッド装置を車両の上側から見て、プッシュロッドの一部を断面した側面図である。
【図１１】フューエルリッドを開いたときにおける図１０のフューエルリッド装置を車両の上側から見た側面図である。
【図１２】ストッパが係止位置に保持されている状態において、フューエルリッドを閉じたときの図１０のフューエルリッド装置を車両の上側から見た側面図である。
【図１３】図１０におけるプッシュロッドのＸＩＩＩ−ＸＩＩＩ線に沿う断面図である。
【図１４】図１１におけるプッシュロッドのＸＩＶ−ＸＩＶ線に沿う断面図である。
【符号の説明】
１  フューエルリッド
２  ケーブル（連結部材）
３  ストッパ
４  スライドドア
１０  フューエルリッド装置
１１  ブラケット
１２，２２，３２  プッシュロッド
１２Ｂ  当接部
２２Ｂ  スリット
３２Ｃ  スリット
１４  リンク
１５  スイッチレバー
１６  第１スプリング（プッシュロッド付勢手段）
１７，２７，３７  第２スプリング（リンク付勢手段）
【図１】
2004346542.tif 000003
【図２】
2004346542.tif 000004
【図３】
2004346542.tif 000005
【図４】
2004346542.tif 000006
【図５】
2004346542.tif 000007
【図６】
2004346542.tif 000008
【図７】
2004346542.tif 000009
【図８】
2004346542.tif 000010
【図９】
2004346542.tif 000011
【図１０】
2004346542.tif 000012
【図１１】
2004346542.tif 000013
【図１２】
2004346542.tif 000014
【図１３】
2004346542.tif 000015
【図１４】
2004346542.tif 000016